(57)【要約】【課題】本発明はオペレータの誤操作によって通信サービスの中断などが発生するのを防止することが可能な通信システムの運用データ一括登録方法及び装置を提供することを目的とする。【解決手段】少なくとも各々の無線基地局のデータベースには、現在保持されている運用データが初期状態か否かを表す初期状態フラグを割り当てておき、一部の無線基地局の交換などに伴って、ネットワーク管理装置上の運用データを特定の無線基地局に転送し一括登録しようとする場合に、ネットワーク管理装置及び登録先の無線基地局の少なくとも一方が、登録先の無線基地局における前記初期状態フラグの状態を参照し、登録先の無線基地局における運用データの内容が初期状態であることを確認できた場合に、運用データの上書きを実行することを特徴とする。【選択図】      図１
2004187042.tif 000002
【特許請求の範囲】
【請求項１】
複数の無線基地局で構成され、各無線基地局がＳＮＭＰエージェントなどの管理機能を備え、所定の監視制御情報転送網を介して無線基地局にネットワーク管理装置が接続された通信システムであって、無線基地局に関する情報と、加入者局に関する情報と、加入者に関する情報とを含む運用データをネットワーク管理装置上のデータベースに保持する場合に、ネットワーク管理装置が保持している運用データを各無線基地局のデータベースに対して転送し一括登録するために用いる通信システムの運用データ一括登録方法において、
少なくとも各々の無線基地局のデータベースには、現在保持されている運用データが初期状態か否かを表す初期状態フラグを割り当てておき、
一部の無線基地局の交換などに伴って、ネットワーク管理装置上の運用データを特定の無線基地局に転送し一括登録しようとする場合に、
ネットワーク管理装置及び登録先の無線基地局の少なくとも一方が、登録先の無線基地局における前記初期状態フラグの状態を参照し、登録先の無線基地局における運用データの内容が初期状態であることを確認できた場合に、運用データの上書きを実行する
ことを特徴とする通信システムの運用データ一括登録方法。
【請求項２】
請求項１の通信システムの運用データ一括登録方法において、ネットワーク管理装置上の運用データを特定の無線基地局に転送し一括登録しようとする場合に、
ネットワーク管理装置は、登録先の特定の無線基地局に対して所定の状態取得要求を行い、
登録先の無線基地局は、ネットワーク管理装置からの状態取得要求に対して、前記初期状態フラグの状態を表す情報を返送し、
ネットワーク管理装置は、登録先の無線基地局から届いた初期状態フラグの状態が初期状態であることを確認できた場合に、登録先の無線基地局に対して運用データを転送し上書きを指示する
ことを特徴とする通信システムの運用データ一括登録方法。
【請求項３】
複数の無線基地局で構成され、各無線基地局がＳＮＭＰエージェントなどの管理機能を備え、所定の監視制御情報転送網を介して無線基地局にネットワーク管理装置が接続された通信システムであって、無線基地局に関する情報と、加入者局に関する情報と、加入者に関する情報とを含む運用データをネットワーク管理装置上のデータベースに保持する場合に、ネットワーク管理装置が保持している運用データを各無線基地局のデータベースに対して転送し一括登録するために用いる通信システムの運用データ一括登録方法において、
ネットワーク管理装置及び各無線基地局が保持する各運用データに、情報の更新日時に関する日付情報を付加しておき、
一部の無線基地局の交換などに伴って、ネットワーク管理装置上の運用データを特定の無線基地局に転送し一括登録しようとする場合に、
ネットワーク管理装置及び登録先の無線基地局の少なくとも一方が、ネットワーク管理装置上の運用データに関する第１の日付情報と、登録先の無線基地局上の運用データに関する第２の日付情報とを対比し、日付情報が一致する場合には登録先の無線基地局に関する運用データの上書きを禁止する
ことを特徴とする通信システムの運用データ一括登録方法。
【請求項４】
請求項３の通信システムの運用データ一括登録方法において、
ネットワーク管理装置上の運用データを特定の無線基地局に転送し一括登録しようとする場合に、
ネットワーク管理装置は、登録先の特定の無線基地局に対して所定の状態取得要求を行い、
登録先の無線基地局は、ネットワーク管理装置からの状態取得要求に対して、自局が保持している運用データの日付情報を返送し、
ネットワーク管理装置は、自局が保持している運用データに関する第１の日付情報と、登録先の無線基地局から受け取った第２の日付情報とを対比し、日付情報が一致する場合には登録先の無線基地局に関する運用データの上書きを禁止する
ことを特徴とする通信システムの運用データ一括登録方法。
【請求項５】
複数の無線基地局で構成され、各無線基地局がＳＮＭＰエージェントなどの管理機能を備え、所定の監視制御情報転送網を介して無線基地局にネットワーク管理装置が接続された通信システムであって、無線基地局に関する情報と、加入者局に関する情報と、加入者に関する情報とを含む運用データをネットワーク管理装置上のデータベースに保持する場合に、ネットワーク管理装置が保持している運用データを各無線基地局のデータベースに対して転送し一括登録するために用いる通信システムの運用データ一括登録方法において、
少なくとも各々の無線基地局のデータベースには、現在保持されている運用データが初期状態か否かを表す初期状態フラグを割り当てておき、
ネットワーク管理装置及び各無線基地局が保持する各運用データに、情報の更新日時に関する日付情報を付加しておき、
一部の無線基地局の交換などに伴って、ネットワーク管理装置上の運用データを特定の無線基地局に転送し一括登録しようとする場合に、
ネットワーク管理装置及び登録先の無線基地局の少なくとも一方が、登録先の無線基地局における前記初期状態フラグの状態を参照し、
登録先の無線基地局における運用データの内容が初期状態であることを確認した場合には、登録先の無線基地局に関する運用データの上書きを実行し、
初期状態でないことを検出した場合には、ネットワーク管理装置及び登録先の無線基地局の少なくとも一方が、ネットワーク管理装置上の運用データに関する第１の日付情報と、登録先の無線基地局上の運用データに関する第２の日付情報とを対比し、日付情報が一致する場合には登録先の無線基地局に関する運用データの上書きを禁止する
ことを特徴とする通信システムの運用データ一括登録方法。
【請求項６】
請求項５の通信システムの運用データ一括登録方法において、
ネットワーク管理装置上の運用データを特定の無線基地局に転送し一括登録しようとする場合に、
ネットワーク管理装置は、登録先の特定の無線基地局に対して所定の状態取得要求を行い、
登録先の無線基地局は、ネットワーク管理装置からの状態取得要求に対して、自局が保持している運用データの日付情報及び初期状態フラグを返送し、
ネットワーク管理装置は、登録先の無線基地局から届いた初期状態フラグの状態が初期状態でない場合には、登録先の無線基地局に関する運用データの上書きを禁止し、
初期状態でないことを検出した場合には、ネットワーク管理装置は、自局の運用データに関する第１の日付情報と、登録先の無線基地局上の運用データに関する第２の日付情報とを対比し、日付情報が一致する場合には登録先の無線基地局に関する運用データの上書きを禁止する
ことを特徴とする通信システムの運用データ一括登録方法。
【請求項７】
複数の無線基地局で構成され、各無線基地局がＳＮＭＰエージェントなどの管理機能を備え、所定の監視制御情報転送網を介して無線基地局にネットワーク管理装置が接続された通信システムであって、無線基地局に関する情報と、加入者局に関する情報と、加入者に関する情報とを含む運用データをネットワーク管理装置上のデータベースに保持する場合に、ネットワーク管理装置が保持している運用データを各無線基地局のデータベースに対して転送し一括登録するために用いる通信システムの運用データ一括登録装置において、
各々の無線基地局が保持している運用データが初期状態か否かを表す初期状態フラグを保持する初期状態フラグ保持手段と、
一部の無線基地局の交換などに伴って、ネットワーク管理装置上の運用データを特定の無線基地局に転送し一括登録しようとする場合に、ネットワーク管理装置から登録先の特定の無線基地局に対して所定の状態取得要求を行う状態取得要求手段と、
登録先の無線基地局がネットワーク管理装置からの状態取得要求を受けた場合に、登録先の無線基地局の初期状態フラグの状態を表す情報をネットワーク管理装置に対して返送する情報返送手段と、
ネットワーク管理装置上で登録先の無線基地局から届いた初期状態フラグの状態が初期状態であることを確認できた場合に、登録先の無線基地局に対して運用データを転送し上書きを指示する登録実行手段と
を設けたことを特徴とする通信システムの運用データ一括登録装置。
【請求項８】
複数の無線基地局で構成され、各無線基地局がＳＮＭＰエージェントなどの管理機能を備え、所定の監視制御情報転送網を介して無線基地局にネットワーク管理装置が接続された通信システムであって、無線基地局に関する情報と、加入者局に関する情報と、加入者に関する情報とを含む運用データをネットワーク管理装置上のデータベースに保持する場合に、ネットワーク管理装置が保持している運用データを各無線基地局のデータベースに対して転送し一括登録するために用いる通信システムの運用データ一括登録装置において、
ネットワーク管理装置上の運用データに関する情報の更新日時に関する日付情報を保持する第１の日付情報保持手段と、
各無線基地局が保持する各運用データの更新日時に関する日付情報を保持する第２の日付情報保持手段と、
一部の無線基地局の交換などに伴って、ネットワーク管理装置上の運用データを特定の無線基地局に転送し一括登録しようとする場合に、ネットワーク管理装置から登録先の特定の無線基地局に対して所定の状態取得要求を行う状態取得要求手段と、
登録先の無線基地局がネットワーク管理装置からの状態取得要求を受けた場合に、登録先の無線基地局の第２の日付情報保持手段が保持する日付情報をネットワーク管理装置に対して返送する情報返送手段と、
ネットワーク管理装置上で登録先の無線基地局から届いた日付情報と、ネットワーク管理装置上の第１の日付情報保持手段が保持する日付情報とをを対比し、それらが一致する場合には登録先の無線基地局に関する運用データの上書きを禁止する上書き禁止手段と
を設けたことを特徴とする通信システムの運用データ一括登録装置。
【請求項９】
複数の無線基地局で構成され、各無線基地局がＳＮＭＰエージェントなどの管理機能を備え、所定の監視制御情報転送網を介して無線基地局にネットワーク管理装置が接続された通信システムであって、無線基地局に関する情報と、加入者局に関する情報と、加入者に関する情報とを含む運用データをネットワーク管理装置上のデータベースに保持する場合に、ネットワーク管理装置が保持している運用データを各無線基地局のデータベースに対して転送し一括登録するために用いる通信システムの運用データ一括登録装置において、
各々の無線基地局が保持している運用データが初期状態か否かを表す初期状態フラグを保持する初期状態フラグ保持手段と、
ネットワーク管理装置上の運用データに関する情報の更新日時に関する日付情報を保持する第１の日付情報保持手段と、
各無線基地局が保持する各運用データの更新日時に関する日付情報を保持する第２の日付情報保持手段と、
一部の無線基地局の交換などに伴って、ネットワーク管理装置上の運用データを特定の無線基地局に転送し一括登録しようとする場合に、ネットワーク管理装置から登録先の特定の無線基地局に対して所定の状態取得要求を行う状態取得要求手段と、
登録先の無線基地局がネットワーク管理装置からの状態取得要求を受けた場合に、登録先の無線基地局の初期状態フラグの状態及び第２の日付情報保持手段が保持する日付情報をネットワーク管理装置に対して返送する情報返送手段と、
ネットワーク管理装置上で登録先の無線基地局から届いた初期状態フラグの状態が初期状態であることを確認した場合には、登録先の無線基地局に関する運用データの上書きを実行する上書き手段と、
初期状態でないことを検出した場合には、ネットワーク管理装置の運用データに関する第１の日付情報と、登録先の無線基地局上の運用データに関する第２の日付情報とを対比し、日付情報が一致する場合には登録先の無線基地局に関する運用データの上書きを禁止する上書き禁止手段と
を設けたことを特徴とする通信システムの運用データ一括登録装置。
【発明の詳細な説明】
【０００１】
【発明の属する技術分野】
本発明は、運用データの一括登録の際の誤操作に伴う通信サービスの中断などを防止するために用いられる通信システムの運用データ一括登録方法及び装置に関する。
【０００２】
【従来の技術】
例えば、無線通信が可能なユーザ端末（加入者局装置）に対して固定ワイヤレスアクセスサービスを提供するために用いられる通信システムは、図７に示すように各加入者局装置４０との間に無線回線を形成可能な多数の無線基地局（基地局装置３０）によって構成される。
【０００３】
また、全ての基地局装置３０の保守や管理を行うために、ネットワーク管理装置（ＮＭＳ）２０が所定の監視制御情報転送網１０を介して各基地局装置３０と接続される。
このような通信システムを運用する場合には、このシステムを構成する各基地局装置３０のアドレスなどを保持する基地局情報テーブルや、サービスを提供する各加入者局の認証情報などを保持する加入者局情報テーブルや、加入者毎の利用状況などを表す情報を保持する加入者情報テーブルによって構成される運用データが必要になる。このような運用データは、各基地局装置３０上に配置される。
【０００４】
また、このような通信システムでは通常はネットワークの保守及び運用のためのプロトコルとしてＳＮＭＰ（Ｓｉｍｐｌｅ  Ｎｅｔｗｏｒｋ  Ｍａｎａｇｅｍｅｎｔ  Ｐｒｏｔｏｃｏｌ）が用いられ、各基地局装置３０はＳＮＭＰのエージェントとして機能する。すなわち、各基地局装置３０はネットワーク管理装置２０によって管理され、ネットワーク管理装置２０との間で保守や運用管理などのために通信を行う。
【０００５】
また、基地局装置３０を屋外に設置する場合には、基地局装置３０が故障する確率も高くなるので、信頼性を確保するために、運用データのマスターをネットワーク管理装置２０のデータベース上に配置し、各基地局装置３０上のデータベースに配置される運用データはスレーブとして扱うように運用されるのが一般的である。
【０００６】
実際のシステム運用の際には、ネットワーク管理装置２０は監視制御情報転送網１０を介して接続された各基地局装置３０との間で所定の保守運用情報を送受信する。
【０００７】
各加入者局装置４０（１），４０（２），・・・は、上位の基地局装置３０の何れかから、独自のプロトコルによって運用に必要な保守運用情報を取得する。
ネットワーク管理装置２０は、一般に保守運用プロトコルとしてＳＮＭＰやＣＭＩＰを利用する。
ＳＮＭＰを用いて保守運用業務を行う場合、ネットワーク管理装置２０はマネージャの機能を果たし、各基地局装置３０はエージェントの機能を果たし、お互いの管理している管理情報データベース（ＭＩＢ）２２，３２をＳＮＭＰのコマンド（ＧＥＴ，ＳＥＴ）を用いて読み書きする。
【０００８】
ところで、図７に示す通信システムの運用を開始した後で、例えば基地局装置３０（３）に不具合が発生した場合には、システムの状態を正常に維持するために不具合の発生した基地局装置３０（３）を他の（予備の）基地局装置３０（４）と交換する必要がある。
このような場合、予備の基地局装置３０（４）のデータベース（ＡＰ−ＤＢ）には通常は初期値（工場出荷時の値）が登録されており、最新の運用データは存在しないので、そのままでは交換した予備の基地局装置３０（４）は利用できない。また、予備の基地局装置３０（４）がそれ以前に他の通信システムの一部分として利用されていた場合には、データベース（ＡＰ−ＤＢ）の内容は初期値ではないが、現在の通信システムに適用できる最新の運用データは存在しない。
【０００９】
従って、交換した予備の基地局装置３０を稼働させる前に、最新の運用データをマスターとなるネットワーク管理装置２０のデータベースから予備の基地局装置３０（４）に対して転送し登録する必要がある。
このような運用データの一括登録に関する従来技術は、例えば次の非特許文献１及び非特許文献２に開示されている。
【非特許文献１】
「Ｂ−５−２１１  ワイヤレスＩＰアクセスシステム用ＯＳＳの構成法の検討」，根本能成著，社団法人電子情報通信学会出版，２００２年８月２０日発行，２００２年ソサイエティ大会
【非特許文献２】
「ワイヤレスＩＰアクセスシステムのオペレーションシステムの構成と技術」，市川敬章著，社団法人電気通信協会，２００２年１１月１０日発行
【００１０】
【発明が解決しようとする課題】
例えば、図７に示す通信システムにおいて、基地局装置３０（３）に不具合が発生し、代わりに予備の基地局装置３０（４）を設置しようとする場合には、基地局装置３０（３）に存在する最新の運用データと同じデータをマスターであるネットワーク管理装置２０のデータベースから転送し、予備の基地局装置３０（４）上のデータベースの書き換えを行う必要がある。
【００１１】
しかしながら、このような書き換えはネットワーク管理装置２０を操作するオペレータ（管理者）の指示に従って行われるので、オペレータが誤操作を行った場合には問題が発生する。
例えば、オペレータの誤操作によって最新の運用データの登録先として基地局装置３０（４）の代わりに基地局装置３０（２）が指定された場合には、実際に運用中のデータが存在する基地局装置３０（２）上のデータベースの内容が、ネットワーク管理装置２０から転送される運用データによって上書きされてしまう。ネットワーク管理装置２０から転送される運用データはマスターであるため、上書きが中止されることはない。
【００１２】
この場合、実際に運用中の基地局装置３０（２）上の運用データが更新されるため、一時的ではあるが、基地局装置３０（２）の動作に異常が生じユーザに対するサービスが中断するような影響を及ぼす可能性がある。
また、余計なトラヒックが監視制御情報転送網１０に流れることにより、本来必要な保守運用業務に支障をきたす場合も考えられる。
【００１３】
本発明は、オペレータの誤操作によって通信サービスの中断などが発生するのを防止することが可能な通信システムの運用データ一括登録方法及び装置を提供することを目的とする。
【００１４】
【課題を解決するための手段】
請求項１は、複数の無線基地局で構成され、各無線基地局がＳＮＭＰエージェントなどの管理機能を備え、所定の監視制御情報転送網を介して無線基地局にネットワーク管理装置が接続された通信システムであって、無線基地局に関する情報と、加入者局に関する情報と、加入者に関する情報とを含む運用データをネットワーク管理装置上のデータベースに保持する場合に、ネットワーク管理装置が保持している運用データを各無線基地局のデータベースに対して転送し一括登録するために用いる通信システムの運用データ一括登録方法において、少なくとも各々の無線基地局のデータベースには、現在保持されている運用データが初期状態か否かを表す初期状態フラグを割り当てておき、一部の無線基地局の交換などに伴って、ネットワーク管理装置上の運用データを特定の無線基地局に転送し一括登録しようとする場合に、ネットワーク管理装置及び登録先の無線基地局の少なくとも一方が、登録先の無線基地局における前記初期状態フラグの状態を参照し、登録先の無線基地局における運用データの内容が初期状態であることを確認できた場合に、運用データの上書きを実行することを特徴とする。
【００１５】
例えば、稼働中のある無線基地局に不具合が発生し、予備の無線基地局を代わりに設置した場合には、ネットワーク管理装置が保持している運用データによって予備の無線基地局の運用データを上書きする必要がある。
もしも、予備の無線基地局が工場から出荷された直後と同じ状態であれば、予備の無線基地局のデータベースにおける運用データは初期状態になっている。これが初期状態か否かは、初期状態フラグの状態により識別できる。
【００１６】
請求項１においては、登録先の無線基地局における運用データの内容が初期状態であることを確認できた場合に、運用データの上書きを実行するので、運用データの上書きによって問題が発生することはない。
【００１７】
一方、既に稼働状態になった無線基地局においては、初期状態フラグがクリアされるため運用データが初期状態でないことが分かる。例えば、予備の無線基地局にマスターとなるネットワーク管理装置上の運用データを登録しようとする場合に、ネットワーク管理装置を操作するオペレータの操作ミスにより登録先として予備の無線基地局ではなく、稼働中の他の無線基地局が指定された場合には、登録先の初期状態フラグがクリアされているため、運用データの上書きを中止することができる。
【００１８】
このような制御は、ネットワーク管理装置が行ってもよいし、登録先の無線基地局が行ってもよい。
請求項２は、請求項１の通信システムの運用データ一括登録方法において、ネットワーク管理装置上の運用データを特定の無線基地局に転送し一括登録しようとする場合に、ネットワーク管理装置は、登録先の特定の無線基地局に対して所定の状態取得要求を行い、登録先の無線基地局は、ネットワーク管理装置からの状態取得要求に対して、前記初期状態フラグの状態を表す情報を返送し、ネットワーク管理装置は、登録先の無線基地局から届いた初期状態フラグの状態が初期状態であることを確認できた場合に、登録先の無線基地局に対して運用データを転送し上書きを指示することを特徴とする。
【００１９】
請求項２においては、オペレータの操作ミスが発生した場合には、ネットワーク管理装置から登録先への運用データの転送を中止できるので、監視制御情報転送網上に余分なトラヒックが発生するのを防止できる。
請求項３は、複数の無線基地局で構成され、各無線基地局がＳＮＭＰエージェントなどの管理機能を備え、所定の監視制御情報転送網を介して無線基地局にネットワーク管理装置が接続された通信システムであって、無線基地局に関する情報と、加入者局に関する情報と、加入者に関する情報とを含む運用データをネットワーク管理装置上のデータベースに保持する場合に、ネットワーク管理装置が保持している運用データを各無線基地局のデータベースに対して転送し一括登録するために用いる通信システムの運用データ一括登録方法において、ネットワーク管理装置及び各無線基地局が保持する各運用データに、情報の更新日時に関する日付情報を付加しておき、一部の無線基地局の交換などに伴って、ネットワーク管理装置上の運用データを特定の無線基地局に転送し一括登録しようとする場合に、ネットワーク管理装置及び登録先の無線基地局の少なくとも一方が、ネットワーク管理装置上の運用データに関する第１の日付情報と、登録先の無線基地局上の運用データに関する第２の日付情報とを対比し、日付情報が一致する場合には登録先の無線基地局に関する運用データの上書きを禁止することを特徴とする。
【００２０】
例えば、稼働中のある無線基地局に不具合が発生し、予備の無線基地局を代わりに設置した場合には、ネットワーク管理装置が保持している運用データによって予備の無線基地局の運用データを上書きする必要がある。
もしも、予備の無線基地局が他のネットワークに利用された後で、この通信システムに再利用されるような場合には、予備の無線基地局のデータベースにおける運用データは初期状態ではない。しかし、その運用データが最後に更新された日時は、この通信システムの最新の運用データの更新日時とは異なる。
【００２１】
また、ネットワーク管理装置上の運用データと各無線基地局が保持している運用データとは同一であり、更新日時も同一になる。
請求項３においては、ネットワーク管理装置上の運用データに関する第１の日付情報と、登録先の無線基地局上の運用データに関する第２の日付情報とを対比し、日付情報が一致する場合には登録先の無線基地局に関する運用データの上書きを禁止するので、ネットワーク管理装置を操作するオペレータの操作ミスにより登録先として予備の無線基地局ではなく、稼働中の他の無線基地局が指定された場合には、日付情報の一致により運用データの上書きが禁止される。
【００２２】
このような制御は、ネットワーク管理装置が行ってもよいし、登録先の無線基地局が行ってもよい。
請求項４は、請求項３の通信システムの運用データ一括登録方法において、ネットワーク管理装置上の運用データを特定の無線基地局に転送し一括登録しようとする場合に、ネットワーク管理装置は、登録先の特定の無線基地局に対して所定の状態取得要求を行い、登録先の無線基地局は、ネットワーク管理装置からの状態取得要求に対して、自局が保持している運用データの日付情報を返送し、ネットワーク管理装置は、自局が保持している運用データに関する第１の日付情報と、登録先の無線基地局から受け取った第２の日付情報とを対比し、日付情報が一致する場合には登録先の無線基地局に関する運用データの上書きを禁止することを特徴とする。
【００２３】
請求項４においては、オペレータの操作ミスが発生した場合には、ネットワーク管理装置から登録先への運用データの転送を中止できるので、監視制御情報転送網上に余分なトラヒックが発生するのを防止できる。
請求項５は、複数の無線基地局で構成され、各無線基地局がＳＮＭＰエージェントなどの管理機能を備え、所定の監視制御情報転送網を介して無線基地局にネットワーク管理装置が接続された通信システムであって、無線基地局に関する情報と、加入者局に関する情報と、加入者に関する情報とを含む運用データをネットワーク管理装置上のデータベースに保持する場合に、ネットワーク管理装置が保持している運用データを各無線基地局のデータベースに対して転送し一括登録するために用いる通信システムの運用データ一括登録方法において、少なくとも各々の無線基地局のデータベースには、現在保持されている運用データが初期状態か否かを表す初期状態フラグを割り当てておき、ネットワーク管理装置及び各無線基地局が保持する各運用データに、情報の更新日時に関する日付情報を付加しておき、一部の無線基地局の交換などに伴って、ネットワーク管理装置上の運用データを特定の無線基地局に転送し一括登録しようとする場合に、ネットワーク管理装置及び登録先の無線基地局の少なくとも一方が、登録先の無線基地局における前記初期状態フラグの状態を参照し、登録先の無線基地局における運用データの内容が初期状態であることを確認した場合には、登録先の無線基地局に関する運用データの上書きを実行し、初期状態でないことを検出した場合には、ネットワーク管理装置及び登録先の無線基地局の少なくとも一方が、ネットワーク管理装置上の運用データに関する第１の日付情報と、登録先の無線基地局上の運用データに関する第２の日付情報とを対比し、日付情報が一致する場合には登録先の無線基地局に関する運用データの上書きを禁止することを特徴とする。
【００２４】
例えば、稼働中のある無線基地局に不具合が発生し、予備の無線基地局を代わりに設置した場合には、ネットワーク管理装置が保持している運用データによって予備の無線基地局の運用データを上書きする必要がある。
もしも、予備の無線基地局が工場から出荷された直後と同じ状態であれば、予備の無線基地局のデータベースにおける運用データは初期状態になっている。これが初期状態か否かは、初期状態フラグの状態により識別できる。
【００２５】
また、予備の無線基地局が他のネットワークに利用された後で、この通信システムに再利用されるような場合には、予備の無線基地局のデータベースにおける運用データは初期状態ではない。しかし、その運用データが最後に更新された日時は、この通信システムの最新の運用データの更新日時とは異なる。
また、ネットワーク管理装置上の運用データと各無線基地局が保持している運用データとは同一であり、更新日時も同一になる。
【００２６】
請求項５においては、登録先の運用データが初期状態であることを確認してから登録先の無線基地局に関する運用データの上書きを実行するので、誤操作が発生していないことを確認できる。
また、初期状態でないことを検出した場合には、ネットワーク管理装置上の運用データの日付情報と、登録先の運用データの日付情報との一致を検出すると運用データの上書きを禁止するので、誤操作による上書きを未然に防止できる。
【００２７】
請求項６は、請求項５の通信システムの運用データ一括登録方法において、ネットワーク管理装置上の運用データを特定の無線基地局に転送し一括登録しようとする場合に、ネットワーク管理装置は、登録先の特定の無線基地局に対して所定の状態取得要求を行い、登録先の無線基地局は、ネットワーク管理装置からの状態取得要求に対して、自局が保持している運用データの日付情報及び初期状態フラグを返送し、ネットワーク管理装置は、登録先の無線基地局から届いた初期状態フラグの状態が初期状態でない場合には、登録先の無線基地局に関する運用データの上書きを禁止し、初期状態でないことを検出した場合には、ネットワーク管理装置は、自局の運用データに関する第１の日付情報と、登録先の無線基地局上の運用データに関する第２の日付情報とを対比し、日付情報が一致する場合には登録先の無線基地局に関する運用データの上書きを禁止することを特徴とする。
【００２８】
請求項６においては、オペレータの操作ミスが発生した場合には、ネットワーク管理装置から登録先への運用データの転送を中止できるので、監視制御情報転送網上に余分なトラヒックが発生するのを防止できる。
請求項７は、複数の無線基地局で構成され、各無線基地局がＳＮＭＰエージェントなどの管理機能を備え、所定の監視制御情報転送網を介して無線基地局にネットワーク管理装置が接続された通信システムであって、無線基地局に関する情報と、加入者局に関する情報と、加入者に関する情報とを含む運用データをネットワーク管理装置上のデータベースに保持する場合に、ネットワーク管理装置が保持している運用データを各無線基地局のデータベースに対して転送し一括登録するために用いる通信システムの運用データ一括登録装置において、各々の無線基地局が保持している運用データが初期状態か否かを表す初期状態フラグを保持する初期状態フラグ保持手段と、一部の無線基地局の交換などに伴って、ネットワーク管理装置上の運用データを特定の無線基地局に転送し一括登録しようとする場合に、ネットワーク管理装置から登録先の特定の無線基地局に対して所定の状態取得要求を行う状態取得要求手段と、登録先の無線基地局がネットワーク管理装置からの状態取得要求を受けた場合に、登録先の無線基地局の初期状態フラグの状態を表す情報をネットワーク管理装置に対して返送する情報返送手段と、ネットワーク管理装置上で登録先の無線基地局から届いた初期状態フラグの状態が初期状態であることを確認できた場合に、登録先の無線基地局に対して運用データを転送し上書きを指示する登録実行手段とを設けたことを特徴とする。
【００２９】
請求項７の装置は、請求項２と同様の方法を実現できる。
請求項８は、複数の無線基地局で構成され、各無線基地局がＳＮＭＰエージェントなどの管理機能を備え、所定の監視制御情報転送網を介して無線基地局にネットワーク管理装置が接続された通信システムであって、無線基地局に関する情報と、加入者局に関する情報と、加入者に関する情報とを含む運用データをネットワーク管理装置上のデータベースに保持する場合に、ネットワーク管理装置が保持している運用データを各無線基地局のデータベースに対して転送し一括登録するために用いる通信システムの運用データ一括登録装置において、ネットワーク管理装置上の運用データに関する情報の更新日時に関する日付情報を保持する第１の日付情報保持手段と、各無線基地局が保持する各運用データの更新日時に関する日付情報を保持する第２の日付情報保持手段と、一部の無線基地局の交換などに伴って、ネットワーク管理装置上の運用データを特定の無線基地局に転送し一括登録しようとする場合に、ネットワーク管理装置から登録先の特定の無線基地局に対して所定の状態取得要求を行う状態取得要求手段と、登録先の無線基地局がネットワーク管理装置からの状態取得要求を受けた場合に、登録先の無線基地局の第２の日付情報保持手段が保持する日付情報をネットワーク管理装置に対して返送する情報返送手段と、ネットワーク管理装置上で登録先の無線基地局から届いた日付情報と、ネットワーク管理装置上の第１の日付情報保持手段が保持する日付情報とをを対比し、それらが一致する場合には登録先の無線基地局に関する運用データの上書きを禁止する上書き禁止手段とを設けたことを特徴とする。
【００３０】
請求項８の装置は、請求項４と同様の方法を実現できる。
請求項９は、複数の無線基地局で構成され、各無線基地局がＳＮＭＰエージェントなどの管理機能を備え、所定の監視制御情報転送網を介して無線基地局にネットワーク管理装置が接続された通信システムであって、無線基地局に関する情報と、加入者局に関する情報と、加入者に関する情報とを含む運用データをネットワーク管理装置上のデータベースに保持する場合に、ネットワーク管理装置が保持している運用データを各無線基地局のデータベースに対して転送し一括登録するために用いる通信システムの運用データ一括登録装置において、各々の無線基地局が保持している運用データが初期状態か否かを表す初期状態フラグを保持する初期状態フラグ保持手段と、ネットワーク管理装置上の運用データに関する情報の更新日時に関する日付情報を保持する第１の日付情報保持手段と、各無線基地局が保持する各運用データの更新日時に関する日付情報を保持する第２の日付情報保持手段と、一部の無線基地局の交換などに伴って、ネットワーク管理装置上の運用データを特定の無線基地局に転送し一括登録しようとする場合に、ネットワーク管理装置から登録先の特定の無線基地局に対して所定の状態取得要求を行う状態取得要求手段と、登録先の無線基地局がネットワーク管理装置からの状態取得要求を受けた場合に、登録先の無線基地局の初期状態フラグの状態及び第２の日付情報保持手段が保持する日付情報をネットワーク管理装置に対して返送する情報返送手段と、ネットワーク管理装置上で登録先の無線基地局から届いた初期状態フラグの状態が初期状態であることを確認した場合には、登録先の無線基地局に関する運用データの上書きを実行する上書き手段と、初期状態でないことを検出した場合には、ネットワーク管理装置の運用データに関する第１の日付情報と、登録先の無線基地局上の運用データに関する第２の日付情報とを対比し、日付情報が一致する場合には登録先の無線基地局に関する運用データの上書きを禁止する上書き禁止手段とを設けたことを特徴とする。
【００３１】
請求項９の装置は、請求項６と同様の方法を実現できる。
【００３２】
【発明の実施の形態】
本発明の通信システムの運用データ一括登録方法及び装置の１つの実施の形態について図１〜図６を参照して説明する。この形態は全ての請求項に対応する。
【００３３】
図１は通信システムの動作を示すシーケンス図である。図２はこの形態の通信システムの構成例を示すブロック図である。図３はＮＭＳ運用データベースの構成例を示す模式図である。図４はＡＰ運用データベースの構成例を示す模式図である。図５は通信システムの動作（変形例１）を示すシーケンス図である。図６は通信システムの動作（変形例２）を示すシーケンス図である。
【００３４】
この形態では、請求項７の初期状態フラグ保持手段，状態取得要求手段，情報返送手段及び登録実行手段は、それぞれ管理情報データベース３２，ステップＳ０９，Ｓ１０及びＳ１２に対応する。
また、請求項８の第１の日付情報保持手段，第２の日付情報保持手段，状態取得要求手段，情報返送手段及び上書き禁止手段は、それぞれ管理情報データベース２２，管理情報データベース３２，ステップＳ１３，Ｓ１４及びＳ１６に対応する。
【００３５】
また、請求項９の初期状態フラグ保持手段及び第２の日付情報保持手段は管理情報データベース３２に対応し、第１の日付情報保持手段は管理情報データベース２２に対応する。請求項９の状態取得要求手段，情報返送手段，上書き手段及び上書き禁止手段は、それぞれステップＳ０９（Ｓ１３），Ｓ１０（Ｓ１４），Ｓ１２及びＳ１６に対応する。
【００３６】
この形態では、図２に示すような通信システムについて本発明を実施する場合を想定している。この通信システムは、無線通信が可能な加入者局装置４０（ユーザ端末）に対して固定ワイヤレスアクセスサービスを提供するために用いられる。
各加入者局装置４０との間に無線回線を形成するために複数の基地局装置３０（１），３０（２），３０（３），・・・が設けてある。また、全ての基地局装置３０の保守や管理を行うために、ネットワーク管理装置（ＮＭＳ）２０が監視制御情報転送網１０を介して各基地局装置３０と接続されている。
【００３７】
この通信システムを運用する場合には、所定の運用データが必要になる。運用データとしては、このシステムを構成する各基地局装置３０のアドレスなどを保持する基地局情報テーブルや、サービスを提供する各加入者局の認証情報などを保持する加入者局情報テーブルや、加入者毎の利用状況などを表す情報を保持する加入者情報テーブルが含まれる。
【００３８】
この運用データは、各基地局装置３０の運用データベース（ＡＰ−ＤＢ）３１上にそれぞれ配置される。また、信頼性を確保するために、運用データのマスターがネットワーク管理装置（ＮＭＳ）２０上の運用データベース（ＮＭＳ−ＤＢ）２１に保持されている。
すなわち、ネットワーク管理装置２０の運用データベース２１には、例えば図３に示すような基地局情報テーブルＴ１，加入者局情報テーブルＴ２及び加入者情報テーブルＴ３が運用データとして保持されている。また、各基地局装置３０の運用データベース３１にも図４に示すように基地局情報テーブルＴ１，加入者局情報テーブルＴ２及び加入者情報テーブルＴ３が運用データとして保持されている。
【００３９】
システムを稼働している状態では、ネットワーク管理装置２０上の各テーブルと基地局装置３０上の各テーブルとは同一の内容になっている。
また、図３に示すように各テーブルＴ１，Ｔ２及びＴ３には情報の更新日時を表す日付の情報が含まれている。更に、図４に示すように基地局装置３０上の運用データには初期状態フラグＩＦＧが含まれている。この初期状態フラグＩＦＧは、この運用データが工場出荷直後の初期状態であるか否かを表している。
【００４０】
不具合の発生などに伴って一部の基地局装置３０を交換したような場合には、運用データベース（ＮＭＳ−ＤＢ）２１に保持されている運用データのマスターを該当する基地局装置３０に転送し、基地局装置３０上の運用データベース（ＡＰ−ＤＢ）３１の内容を上書きすることができる。
なお、この通信システムにおいてはネットワーク管理装置２０と各基地局装置３０との間で保守及び運用のための通信を行うためのプロトコルとしてＳＮＭＰを用いている。各基地局装置３０はＳＮＭＰのエージェントの機能を備え、ネットワーク管理装置２０はＳＮＭＰのマネージャの機能を備えている。
【００４１】
図２に示すように、ネットワーク管理装置２０は運用データベース２１，ＮＭＳ制御部２３，運用データ判定部２４及びＮＭＳ情報管理部２５を備えている。また、運用データベース２１に含まれる管理情報データベース（ＭＩＢ：Ｍａｎａｇｅｍｅｎｔ  Ｉｎｆｏｒｍａｔｉｏｎ  Ｂａｓｅ）２２には、運用データの更新された日時を表す日付情報が含まれている。
【００４２】
一方、基地局装置３０には、運用データベース３１，システム管理部３３，ＡＰ情報管理部３４及びユーザ信号処理部３５が備わっている。また、運用データベース３１に含まれる管理情報データベース（ＭＩＢ）３２には、運用データの更新された日時を表す日付情報と、初期状態フラグ（ＩＦＧ）とが含まれている。全ての基地局装置３０は同じ構成になっている。
【００４３】
ネットワーク管理装置２０上のＮＭＳ情報管理部２５及び基地局装置３０上のＡＰ情報管理部３４は、それぞれ運用データベース２１及び３１に保持されている運用データの管理を行う。
ＮＭＳ制御部２３及びシステム管理部３３は、運用データの管理などに関するネットワーク管理装置２０と基地局装置３０との間の通信を制御する。
【００４４】
ネットワーク管理装置２０上の運用データ判定部２４は、運用データベース２１上のマスターの運用データをオペレータから指定された特定の基地局装置３０に対して登録し運用データベース３１を更新するか否かを判定するための制御を行う。
例えば、図２に示す基地局装置３０（３）に不具合が発生し、基地局装置３０（３）の代わりに予備の基地局装置３０（４）を設置した場合には、基地局装置３０（４）を使える状態にするために、運用データベース３１上の運用データを基地局装置３０（４）に登録する必要がある。
【００４５】
実際の運用データの登録は、ネットワーク管理装置２０を操作するオペレータの指示によって行われる。従って、オペレータの操作ミスが発生する可能性があり、例えば登録先を予備の基地局装置３０（４）とすべき場合に、オペレータにより基地局装置３０（２）が登録先として指定される可能性があり、稼働中の基地局装置３０（２）に対して誤って運用データの更新登録が行われる可能性がある。このような誤った操作は、ユーザに対するサービスの中断などの悪影響を及ぼす。
【００４６】
このような誤動作を未然に防止するために、図２の通信システムにおいては、図１に示すような制御を実施する。なお、図１の例ではネットワーク管理装置２０が主体となって制御を行っているが、各基地局装置３０の自律的な制御によって誤動作を防止することもできる。但し、ネットワーク管理装置２０側で制御した方が監視制御情報転送網１０上に余分な運用データのトラヒックを発生しないので望ましい。
【００４７】
ネットワーク管理装置２０を操作するオペレータの入力操作に従って特定の基地局装置３０（登録先の予備の基地局装置３０（４））に対して運用データベース２１上の運用データを登録しようとする場合には、まず図１のステップＳ０９に進み、ネットワーク管理装置２０が登録先の基地局装置３０に対して初期状態フラグの取得要求のメッセージを送信する。例えば、ＳＮＭＰのＧｅｔコマンドを用いて要求すればよい。
【００４８】
この要求を受信すると、登録先の基地局装置３０は自局が保持している運用データの初期状態フラグ（ＩＦＧ）を運用データベース３１から読み取り、この初期状態フラグをステップＳ１０でネットワーク管理装置２０に対して返送する。ネットワーク管理装置２０は、登録先の基地局装置３０から受け取った初期状態フラグの状態をステップＳ１１で識別する。この例では、運用データが工場出荷時の初期状態であれば初期状態フラグがオン、初期状態でなけれは初期状態フラグがオフの場合を想定している。
【００４９】
初期状態フラグがオン、すなわち登録先の運用データが工場出荷時の初期状態であればステップＳ１１からＳ１２に進む。この場合、登録先の基地局装置３０は稼働中ではないと考えられる。従って、ステップＳ１２ではネットワーク管理装置２０は運用データベース（ＮＭＳ−ＤＢ）２１が保持しているマスターの運用データを登録先の基地局装置３０に対して一括して転送するとともに運用データベース３１への登録（更新）を指示する。
【００５０】
この指示によって、登録先の基地局装置３０はネットワーク管理装置２０から転送されたマスターの運用データを運用データベース３１に登録する。この場合、運用データベース３１の運用データに含まれている初期状態フラグはオフに変更される。
このようにしてマスターの運用データのコピーを基地局装置３０（４）に登録すると、予備の基地局装置３０（４）は故障した基地局装置３０（３）の代わりとして動作可能な状態になる。
【００５１】
一方、ステップＳ１１で初期状態フラグがオンでない場合には、登録先として指定された基地局装置３０に既に何らかの運用データが登録されていることになる。
初期状態フラグがオンでない場合には、ネットワーク管理装置２０はステップＳ１３で登録先の基地局装置３０に対して日付情報の取得要求のメッセージを送信する。例えば、ＳＮＭＰのＧｅｔコマンドを用いて要求すればよい。
【００５２】
この要求を受信すると、登録先の基地局装置３０は、運用データベース３１の管理情報データベース３２から運用データの更新日時を表す日付情報を取得し、ステップＳ１４で日付情報をネットワーク管理装置２０に対して返信する。
ネットワーク管理装置２０は登録先の基地局装置３０から日付情報を受け取ると、その日付情報と運用データベース（ＮＭＳ−ＤＢ）２１の運用データにおける日付情報とをステップＳ１５で対比する。
【００５３】
稼働中の各基地局装置３０における運用データとネットワーク管理装置２０上のマスターの運用データとは同一なのでそれらの日付情報も同一である。従って、例えばオペレータの誤操作によって稼働中の基地局装置３０（２）が登録先として指定された場合には、ステップＳ１５の対比において日付情報の一致が検出される。
従って、日付情報が一致する場合には、ステップＳ１５からＳ１６に進み、指定された登録先の基地局装置３０に対する運用データの書き込みを禁止する。つまり、ネットワーク管理装置２０は登録先の基地局装置３０に対する運用データの送信及び登録指示を中止する。これにより、オペレータが登録先を間違えて指定した場合には、実際には運用データの登録が実施されないので誤動作は回避される。
【００５４】
一方、日付情報が一致しない場合であっても、登録先の基地局装置３０における運用データの日付情報が、ネットワーク管理装置２０上のマスターの運用データの日付情報よりも古いことをステップＳ１７で確認する。
登録先の運用データの日付情報がマスターの運用データの日付情報よりも新しいことは本来あり得ないので、それをステップＳ１７で検出した場合には処理を中止する。
【００５５】
登録先の運用データの日付情報がマスターの運用データの日付情報よりも古いことをステップＳ１７で確認できた場合には、ステップＳ１８に進む。この場合、登録先の基地局装置３０は稼働中ではないと考えられるので、ステップＳ１８ではネットワーク管理装置２０は運用データベース（ＮＭＳ−ＤＢ）２１が保持しているマスターの運用データを登録先の基地局装置３０に対して一括して転送するとともに運用データベース３１への登録（更新）を指示する。
【００５６】
図１に示す動作の代わりに、図５又は図６に示すような動作を行ってもよい。図５及び図６は図１の動作の変形例である。すなわち図５の例では、初期状態フラグの確認だけを行い、日付情報の確認は省略している。また、図６の例では日付情報の確認だけを行い、初期状態フラグの確認は省略している。
【００５７】
【発明の効果】
本発明によれば、システムを管理するオペレータの操作ミスによって運用データの登録先が誤って指示された場合であっても、既に稼働中の基地局に対して運用データの書き込みが行われることはないため一時的なサービス中断などの発生を未然に防止できる。
【図面の簡単な説明】
【図１】通信システムの動作を示すシーケンス図である。
【図２】実施の形態の通信システムの構成例を示すブロック図である。
【図３】ＮＭＳ運用データベースの構成例を示す模式図である。
【図４】ＡＰ運用データベースの構成例を示す模式図である。
【図５】通信システムの動作（変形例１）を示すシーケンス図である。
【図６】通信システムの動作（変形例２）を示すシーケンス図である。
【図７】通信システムの構成例を示すブロック図である。
【符号の説明】
１０  監視制御情報転送網
２０  ネットワーク管理装置
２１  運用データベース
２２  管理情報データベース
２３  ＮＭＳ制御部
２４  運用データ判定部
２５  ＮＭＳ情報管理部
３０  基地局装置
３１  運用データベース
３２  管理情報データベース
３３  システム管理部
３４  ＡＰ情報管理部
３５  ユーザ信号処理部
４０  加入者局装置
【図１】
2004187042.tif 000003
【図２】
2004187042.tif 000004
【図３】
2004187042.tif 000005
【図４】
2004187042.tif 000006
【図５】
2004187042.tif 000007
【図６】
2004187042.tif 000008
【図７】
2004187042.tif 000009